(57)【要約】      （修正有）【課題】コイルバネの弾力が強いため、不安定のまま扱うと鋭利に尖ったピン先が跳ねて危険であったのを解決するとともに、右利き左利きの人も持ち方が自在で、両用で使える構造を備えた安全ピンを提供する。【解決手段】弓状のアーム部３全体の両端上部に安全ピン６を挟み込んで固定するための狭持部４Ａ，４Ｂと、アーム部中心の下方に指で摘まんで操作する板状の摘み部１を設けてからなる、安全ピン取付けホルダー２０であって、摘み部がアームを介して狭待部の下方に設けられ、狭待部がアームよりも上部に位置すると共に、狭待部の長手方行に切欠き溝５Ａ，５Ｂを設けることを特徴とする。特に、切欠き溝の少なくとも一方が、外側の方が幅広になるように設けられてこの上部左にコイルバネ８を保持するために幅狭くしている事が望ましい。【選択図】図１
2011212429.tif 000002
【特許請求の範囲】
【請求項１】
本ホルダーは、弓状のアーム部全体の両端上部に安全ピンを挟み込んで固定するための狭持部とアーム部中心の下方に指で摘まんで操作する板状の摘み部を設けてからなる安全ピン取付けホルダーであって、摘み部がアームを介して狭持部の下方に設けられ、前記狭持部がアームの上部両端に位置すると共に当該狭持部の長手方向に切欠き溝を設けた事を特徴とする取外し自由な安全ピン取付けホルダー。
【請求項２】
本ホルダーは、弓状のアーム部全体の両端上部に安全ピンを挟み込んで固定するための狭持部とアーム部中心の下方に指で摘まんで操作する板状の摘み部を設けてからなる安全ピン取付けホルダーであって、摘み部がアームを介して狭持部の下方に設けられ、前記狭持部がアームの上部両端に位置すると共に当該狭持部の長手方向に切欠き溝を設け、少なくとも一方の切欠き溝は外側のほうが幅広になるように設けられていてこの上部左にコイルバネを保持するために幅狭くしている事を特徴とする取り外し自由な安全ピン取付けホルダー。
【請求項３】
本ホルダーは、弓状のアーム部全体の両端上部に安全ピンを挟み込んで固定するための狭持部とアーム部中心の下方に指で摘まんで操作する板状の摘み部を設けてからなる安全ピン取付けホルダーであって、摘み部がアームを介して狭持部の下方に設けられ、前記狭持部がアームの上部両端に位置すると共に当該狭持部のいずれか一方に安全ピンのカシメ部を収容するための切欠き溝を設け、他方に安全ピンのコイルバネを収容するための孔と所定幅の切欠き溝とこの切欠き溝よりも狭くした切欠き溝からなるＬ字型切欠き溝を設ける事を特徴とする取外し自由な安全ピン取付けホルダー。
【請求項４】
本ホルダーは、弓状のアーム部全体の両端上部に安全ピンを挟み込んで固定するための狭持部とアーム部中心の下方に指で摘まんで操作する板状の摘み部を設けてからなる安全ピン取付けホルダーであって、摘み部がアームを介して狭持部の下方に設けられ、前記狭持部がアームのいずれか一方の上部に位置すると共に、当該狭持部に安全ピンのコイルバネ部を収容するための孔と安全ピンを収容するための切欠き溝とからなるＬ字型切欠き溝を設ける事を特徴とする取外し自由な安全ピン取付けホルダー。
【発明の詳細な説明】
【技術分野】
【０００１】
本発明は、片手の不自由な障害者や、子供、健常者、及び指先の力の弱い高齢者などが安全かつ素早く扱える事を目的とした、安全ピンの取付け取外しに用いるホルダーに関するものである。
【背景技術】
【０００２】
従来名札等に取付けられた安全ピンを、取付けるには安全ピンを片手の指で摘んで固定し、もう一方の指で安全ピンのピン先の操作をしていた。
【先行技術文献】
【特許文献】
【０００３】
【特許文献１】特開平１０−２５７９０５号    公報
【発明の概要】
【発明が解決しようとする課題】
【０００４】
以上に述べた従来の安全ピンの止め方には欠点があった。図１５に示す安全ピンの構成図を用いて説明する。例えば安全ピンのコイルバネ部８の弾力性が強くて、細くて、硬いため安全ピンを指で摘んで両手で操作する必要があった。又ピン先７は鋭利に尖っているためにピン先７が跳ね上がり、大変危険なものであった。
【０００５】
特に、コイルバネ部８の弾力が強いため、不安定のまま扱うと鋭利に尖ったピン先７が跳ねて危険であった。本発明は、以上の欠点を解決するとともに右利き左利きの人も持ち方で自在に耐用でき差別なく、両用で使える構造を備えた安全ピンを提供する事を目的としている。
【課題を解決するための手段】
【０００６】
本発明は、上記目的を達成するために、次のように構成される。
【０００７】
本ホルダーは、弓状のアーム部全体の両端上部に安全ピンを挟み込んで固定するための狭持部と、アーム部中心の下方に指で摘まんで操作する板状の摘み部を設けてからなる安全ピン取付けホルダーであって、摘み部がアームを介して狭持部の下方に設けられ、前記狭持部がアームの上部両端に位置すると共に当該狭持部の長手方向に切欠き溝を設けた事を特徴とする取外し自由な安全ピン取付けホルダーにより前記課題を解決する。
【０００８】
本ホルダーは、弓状のアーム部全体の両端上部に安全ピンを挟み込んで固定するための狭時部と、アーム部中心の下方に指で摘まんで操作する板状の摘み部を設けてからなる安全ピン取付けホルダーであって、摘み部がアームを介して狭持部の下方に設けられ、前記狭持部がアームの上部両端に位置すると共に当該狭持部の長手方向に切欠き溝を設け、少なくとも一方の切欠き溝は外側のほうが幅広になるように設けられて、この上部左にコイルバネを保持するために幅狭くしている事を特徴とする取外し自由な安全ピン取付けホルダーにより前記課題を解決する。
【０００９】
本ホルダーは、弓状のアーム部全体の両端上部に安全ピンを挟み込んで固定するための狭持部と、アーム部中心の下方に指で摘まんで操作する板状の摘み部を設けてからなる安全ピン取付けホルダーであって、摘み部がアームを介して狭持部の下方に設けられ、前記狭持部がアームの上部両端に位置すると共に当該狭持部のいずれか一方に安全ピンのカシメ部を収容するための切欠き溝を設け、他方に安全ピンのコイルバネを収容するための孔と所定幅の切欠き溝とこの切欠き溝よりも狭くした切欠き溝とからなるＬ字型切欠き溝を設ける事を特徴とする取外し自由な安全ピン取付けホルダーにより前記課題を解決する。
【００１０】
本ホルダーは、弓状のアーム部全体の両端上部に安全ピンを挟み込んで固定するための狭持部と、アーム部中心の下方に指で摘まんで操作する板状の摘み部を設けて                    からなる安全ピン取付けホルダーであって、摘み部がアームを介して狭持部の下方に設けられ、前記狭持部がアームのいずれか一方の上部に位置すると共に、当該狭持部に安全ピンのコイルバネ部を収容するための孔と安全ピンを収容するための切欠き溝とからなるＬ字型切欠き溝を設ける事を特徴とする取外し自由な安全ピン取付けホルダーにより前記課題を解決する。
【００１１】
上述した以外に、大きい安全ピンの場合は、ホルダー上部を左右に長く伸ばして、小さい安全ピンの場合は、ホルダーの上部の左右を短くして対応して安全ピンの大用、中用、小用、とそれぞれする事ができる。
【００１２】
本ホルダーは、より安全に楽に素早く安全ピンを扱うようにホルダー摘み部1に、人差し指を入れる指穴２を設け、より安全確実に安全ピンを止める事のできる構造を示している。安全ピンを衣服等に止めるために発明した、安全ピン取付けホルダーの最良の形状で大人も子供も安心して使える形で最良のホルダーを示している。
【発明の効果】
【００１３】
上述したように、本発明は安全ピン取付けホルダーを使用する事により、大人も子供も本ホルダーで摘み部と穴部を使え分けできる万能形のホルダーで、ホルダーの摘みがオープンになっていて指の大小にかかわらず鋭利なピン先を固定して操作出来るので、片麻痺の障害者や、子供、健常者、及び高齢者が右利き左利きの差別なく両手用でこのホルダーを使え分けして衣服に、名札や、腕章など、わずかの時間でなおかつ安全で楽に取付け取外し自由に出来るホルダーとなる。
【図面の簡単な説明】
【００１４】
【図１】実施例１の安全ピンを保持した時の正面図
【図２】同安全ピンホルダーのＡ−Ａ線の断面図
【図３】同安全ピンホルダーのＢ−Ｂ線の断面図
【図４】同安全ピンホルダーの平面図
【図５】同安全ピンホルダーの平面図（切欠き溝５Ａの形状の一形態）
【図６】同安全ピン先を離脱した時の正面図
【図７】実施例２の安全ピンホルダーの第二使用形態の正面図
【図８】同安全ピンホルダーの第二使用形態の平面図
【図９】同安全ピンホルダーコイルバネ部の第二使用形態の断面図
【図１０】同安全ピンホルダーカシメ部の第二使用形態の断面図
【図１１】実施例３の安全ピンホルダーの第三使用形態の正面図
【図１２】同安全ピンホルダーの第三使用形態の平面図
【図１３】同安全ピンを保持したときの時の第三使用形態の正面図
【図１４】同安全ピンホルダーコイルバネ部の第三使用形態の断面図
【図１５】同安全ピンの正面図
【発明を実施するための形態】
【００１５】
本発明の実施形態を実施例１ないし実施例３に基づいて図面を参照して説明する。
【実施例１】
【００１６】
本発明の実施形態を説明する。安全ピン取り付けホルダーに摘み部１とアーム３の上部左右両端にコイルバネ部８ホルダー４Ａとピン受け部１０ホルダー４Ｂの狭持部を設け、この両狭持部４Ａと４Ｂの長手方向にコイルバネ部ホルダー用切欠き溝４Ａと、ピン受け部１０ホルダー用切欠き溝５Ｂが設けられている。当該切欠き溝５Ａの一方に図４の５Ａのごとくホルダーの外側から内側にテーパーを付けて外側の溝の幅の方が内側の溝の幅よりも幅広になっているものと、外側と内側が同一幅になっていてこの上部にコイルバネを保持するために幅狭くしているものに構成されている。これにより安全ピンのコイルバネを確実に保持出来る。又他方の切り欠き構５Ｂは図(３)のカシメ部９と同じく上は広く下にテーパ−を付けて、Ｖ形にしてカシメ部９を保持出来、安全ピンとホルダーは切欠き溝５Ｂと、コイルバネ部８とカシメ部９の固定により保持出来る。本ホルダーは木材、ゴム、合成樹脂材、シリコン、等形成可能な材質で構成することができる。尚、この切り欠き溝５Ａは同一幅でも良い。同一幅としたものが請求項１に係る発明であり、外側の溝の幅の方が内側の溝の幅よりも幅広になっているものが請求項２に係る発明である。
【００１７】
本発明のホルダーは、図１のように、ホルダーの摘み部１を人差し指と中指で挟んで使用する構造で大人も子供の差別なく自在に手の大きい人と小さい人も男女の差別なく、あらゆるサイズに合ってすべての人が楽に使える工夫がされている安全ピン取付けホルダーである。尚、図１の(４０)に示すように小穴を明けてもよい。
【００１８】
図２は、安全ピンのコイルバネ部８を切り欠き溝５Ａに保持した時の断面図。この図から明らかなように、切り欠き溝５Ａにコイルバネ部８が収容され、保持されることとなる。
【００１９】
図３は、カシメ部９を収容する切欠き溝５ＢのＢ−Ｂ線断面図であり、安全ピンのカシメ部９をホルダー上部の切欠き溝５Ｂにカシメ部９と受け部１０を確実に保持している状態を示す断面図である。
【００２０】
図４は、安全ピン取付けホルダー平面図であり、コイルバネ部８を切欠き溝５Ａの外側
が幅広になっていて他方の切欠き溝５Ｂは平行になっている事を示す平面図。切り欠き溝５Ａが、挟持部４Ａの長手方向に、外側が幅広になるように設けられていてこの上部にコイルバネを保持するため幅狭くしていることにより、コイルバネ部８が挟持部４Ａの切欠き溝５Ａの内壁に挟まれて保持されることとなる。
【００２１】
図５は安全ピン取付けホルダー平面図であり、切欠き溝５Ａがその長手方向に対し外側と内側が同一幅になっているとともに、他方の切欠き溝５Ｂは平行になっている事を示す平面図。図４に示すように切り欠き溝５Ａが挟持部４Ａの長手方向に外側が幅広になるように設けられていても、また、図５のように同一幅で、この切欠き溝５Ａの上部に図２のようにコイルバネ部８を保持するために幅狭くしてコイルバネ部８が挟持部４Ａの切欠き溝５Ａの内壁に挟まれて保持されることとなる。
【００２２】
図６は、摘み部１に指穴２を設けてこの指穴部２に人指し指の第一関節まで入れて中指でホルダー指穴部２の外側を挟み、アーム３上部の挟持部４Ａ−４Ｂの切欠き溝５Ａ−５Ｂに安全ピンを固定して安全に扱えるように工夫されている安全ピンホルダーである。
【００２３】
本ホルダーを使用する時には、まず先に名札等に付いている安全ピンをこのホルダーを使って安全ピンを取外しておく。次に、図１の摘み部１の正面部を親指と人差し指で摘み、もう一方の手で安全ピンを摘み、外側の方が内側よりも幅広に構成される切欠き溝５Ａあるいはこの切欠き溝５Ａが同一幅になっている（図２）にコイルバネ部８を外側から内側にスライドさせて保持させ、次にカシメ部９を他方の切欠き溝５Ｂ（図３）に、上から下にカシメ部９を保持させる。安全ピンが左右に動いたりぐらついたりしないで安全ピンを保持できるのは、安全ピンと切欠き溝５Ａ−５Ｂと狭持部４Ａ−４Ｂとの固定による。
【００２４】
上述したように、安全ピンが本発明のホルダー上に確実に保持出来たら、ホルダーの摘み部１を人差し指と中指で挟んでから、ピン６を親指で下に押してピン受け部１０からピン先７を離脱する。次に親指で安全ピン６をアーム３と同時に押さえて、先に安全ピンを取り外しておいた名札や、腕章、等に設けられた穴にピン先７を通してさらに衣服にピン先７を通してピン先７を安全ピンの受け部１０に保持させる。その後安全ピンのカシメ部９を切欠き溝５Ｂから上に離脱してコイルバネ部８を内側より外側にスライドさせて安全ピンとホルダーを離脱すると、名札や、腕章、等安全ピンは衣服に着いたまま、ホルダーを取外すことができる。
【実施例２】
【００２５】
以下に第二の使用形態を説明する。この実施例は請求項３に記載の発明に関する実施例である。この安全ピン取付けホルダーは、ホルダーのコイルバネ部８を図７及びＡ−Ａ線の断面の図９に示す部コイルバネ部８のＬ字型切欠き溝５Ａに上から下に入れ、切欠き溝５Ｂにスライドさせ保持して安全に固定出来るホルダーである。尚、このＬ字型切欠き溝５Ａは正面視ではＬ字型に構成されるが、平面視及び断面視には逆Ｌ字型を構成することになる。無論、正面視が逆Ｌ字型、平面視及び断面視が逆Ｌ字型に構成されていてもよい。
【００２６】
図７は、安全ピン取付けホルダーの平面図であってコイルバネ部８を図７及びＡ−Ａ線の断面図である図９に示す切欠き溝５Ａに上から下に入れ、カシメ部９を図７及びＢ−Ｂ線の断面図の図１０に示すカシメ部９の切欠き溝５Ｂにスライドさせ、カシメ部９をピン受け部ホルダー用切欠き溝５Ｂに保持して安全に固定できる。
【００２７】
図８は、安全ピン取付けホルダーの平面図である。切欠き溝５Ａが平面視で逆Ｌ字型に設けられ、これにコイルバネ部８を上から下に入れ、スライドさせて保持させる。また、切欠き溝５Ｂにはカシメ部９を収容する。尚、上述したように切欠き溝５Ａは平面視でＬ字型に構成してもよい。
【００２８】
図９は、安全ピンのコイルバネ部８を切欠き溝５Ａに保持した時の断面図である。切欠き溝５Ａは断面視において逆Ｌ字型を構成する。上述したようにＬ字型に構成してもよい。
【００２９】
図１０は、安全ピンのカシメ部９を切欠き溝５Ｂに保持した時の断面図であるが、その構成は図３と同一のものである。つまり、実施例１と実施例２における切欠き溝５Ｂの構成は同一である。
【実施例３】
【００３０】
以下に第三の使用形態を説明する。この実施例は請求項４に記載の発明に関する実施例である。図１１は、安全ピン取付けホルダー正面図であって摘み部１はアーム３を介して狭持部４Ａの下方に設けられ、前記狭持部４Ａの片方がアーム３よりも上部に位置すると共に、狭持部４Ａに安全ピンのコイルバネ部８を収容するための切欠き溝５Ａにより、安全ピンを保持できる事特徴とする取外し自由な安全ピン取付けホルダーである。つまり、本使用形態は実施例１及び実施例２における狭持部を片方のみの構成としたものである。
【００３１】
図１２は、安全ピン取付けホルダーの平面図である。この図から明らかなように切欠き溝５Ａは平面視で逆Ｌ字型に設けられ、これにコイルバネ部８を上から下に入れ、スライドさせて保持させる。尚、上述したように切欠き溝５Ａは平面視でＬ字型に構成してもよい。
【００３２】
図１３は、安全ピン取付けホルダーに保持させた状態を示す正面図である。カシメ部９は狭持部に保持されていないが、コイルバネ部８が狭持部４Ａに保持されているので、カシメ部９も保持されることとなる。
【００３３】
図１４は、安全ピン取付けホルダーのコイルバネ部８を表す断面図である。その構成は図９と同一のものである。つまり、実施例２における切欠き溝５Ａの構成と同一である。
【００３４】
本ホルダーを使用するときは、安全ピンの受け部１０を親指と人差し指でつまんでコイルバネ部８をＬ字型切り欠き溝５Ａに上から下に挿入して、コイルバネ部８を切欠き溝５Ｂ方向にスライドさせて保持でき、ホルダー摘み部１を人差し指と中指で挟んで安全ピンを６を親指で下に押してピン先７を離脱してから、アーム３とピン６を上から同時に親指でおさえ、名札や椀章等に付いている穴にピン先７を通してから衣服にピン先７を通してピン先７を安全ピンの受け部１０に保持でき、安全ピンと取り付けホルダーを離脱して確実に固定できる講成である。
【符号の説明】
【００３５】
１    安全ピン取付けホルダーの板状の摘み部
２    指穴部
３    アーム
４    挟持部４Ａと４Ｂ
５    切欠き溝５Ａと５Ｂ
６    ピン
７    ピン先
８    コイルバネ部
９    カシメ部
１０    ピン先受け部
２０    安全ピン取り付けホルダー
３０    安全ピン
４０    小穴  
【図１】
2011212429.tif 000003
【図２】
2011212429.tif 000004
【図３】
2011212429.tif 000005
【図４】
2011212429.tif 000006
【図５】
2011212429.tif 000007
【図６】
2011212429.tif 000008
【図７】
2011212429.tif 000009
【図８】
2011212429.tif 000010
【図９】
2011212429.tif 000011
【図１０】
2011212429.tif 000012
【図１１】
2011212429.tif 000013
【図１２】
2011212429.tif 000014
【図１３】
2011212429.tif 000015
【図１４】
2011212429.tif 000016
【図１５】
2011212429.tif 000017